(57)【特許請求の範囲】
【請求項１】
外部装置から排出された用紙を台車に載せた積載トレイ上に積載し、前記台車は前記用紙を前記積載トレイごと外部に引き出す用紙後処理装置であって、
前記台車に縦支柱と横支柱を設け、前記積載トレイ上の用紙最上面を押える積載紙押え部材を前記横支柱に対して回転自在に設け、
前記縦支柱は、前記積載紙押え部材を回転可能にするための開口部を備えることを特徴とする用紙後処理装置。
【請求項２】
前記積載紙押え部材は、前記横支柱に対して左右に移動自在に設けられることを特徴とする請求項1記載の用紙後処理装置。
【請求項３】
前記横支柱は、前記縦支柱に沿って上下動自在に設けられることを特徴とする請求項１又は２記載の用紙後処理装置。
【請求項４】
前記縦支柱は、前記縦支柱と一体的に前記台車の操作用ハンドル部材を設けることを特徴とする請求項１から３の何れか１項に記載の用紙後処理装置。
【請求項５】
前記積載紙押え部材の前記横支柱に対する回転動作に対し、ロック部材を備えることを特徴とする請求項１から４の何れか１項に記載の用紙後処理装置。
【請求項６】
前記横支柱の前記縦支柱に対する上下動作に対し、前記ロック部材を備えることを特徴とする請求項１から５の何れか１項に記載の用紙後処理装置。
【請求項７】
前記積載トレイと前記台車の用紙積載範囲外の前記横支柱の直下、又はその近傍の位置に、前記積載紙押え部材の先端部を収納する収納部を備えることを特徴とする請求項１から６の何れか１項に記載の用紙後処理装置。
【請求項８】
請求項１から７の何れか１項に記載の用紙後処理装置に連結され、排出する用紙を前記用紙後処理装置に搬送することを特徴とする画像形成装置。
【発明の詳細な説明】
【技術分野】
【０００１】
本発明は、画像形成装置等から排出される用紙を積載する用紙後処理装置（スタッカー）、用紙後処理装置に排出する用紙を搬送する画像形成装置に関する。
【背景技術】
【０００２】
従来より、複写機、プリンタ、ファクシミリなどのいわゆる画像形成装置に一体又は別体に設けられ、画像形成装置から排出される大量の用紙を積載する用紙後処理装置（スタッカー）が用いられている。このような用紙後処理装置には、用紙を積載する積載トレイを載せる台車が備えられている（例えば、特許文献１参照）。
【特許文献１】特開２００６−３４７６３５号公報
【発明の開示】
【発明が解決しようとする課題】
【０００３】
台車に大量の用紙（印刷後の用紙）を積載した場合、例えば５０００枚の用紙積載は、高さが約５０ｃｍにもなる。そのため、台車に大量の用紙を積載したまま他の処理を行う場所に移動するとき、曲がり角等における台車の操作や、床面の段差の乗越え等により発生する衝撃等により、積載紙のズレ、崩れが発生するという問題があった。上記特許文献１においてもこの問題が生じる。本発明はこのような実情を鑑みてなされたものであり、台車の移動により発生する積載紙のズレや、崩れを抑制する用紙後処理装置及び画像形成装置を提供することを目的とする。
【課題を解決するための手段】
【０００４】
本発明による用紙後処理装置は、外部装置から排出された用紙を、台車に載せた積載トレイ上に積載し、前記台車は前記積載トレイと一緒に外部に引き出されるようになされた用紙後処理装置であって、前記台車に縦支柱と横支柱を設け、前記積載トレイ上の用紙最上面を押える積載紙押え部材を前記横支柱に対して回転自在に備えることを特徴とする。また、前記積載紙押え部材は、前記横支柱に対して左右に移動自在に設け、前記縦支柱は、前記積載紙押え部材を回転可能にするための開口部を備える。
【０００５】
本発明による画像形成装置は、用紙後処理装置に連結され、排出する用紙を用紙後処理装置に搬送することを特徴とする。
【発明の効果】
【０００６】
本発明によれば、台車に縦支柱と横支柱を設け、積載トレイ上の用紙最上面を押える積載紙押え部材を横支柱に対して回転自在に設けることにより、簡単な操作で積載紙最上面における積載紙押えを実現し、台車の移動により発生する積載紙のズレや、崩れを確実に抑制することができる。また、縦支柱に積載紙押え部材を回転可能にするための開口部を備えることにより、部品の大型化、それによるコストアップを防ぐことができる。また、積載紙を台車から取除く時、積載紙押え部材をトレイ上の用紙積載範囲外の元の位置（積載紙押えを使用しない場合の所定の位置）に戻す必要があるため、次に用紙積載を行う場合に、積載紙押え部材の戻し忘れによるスタック性の悪化を防ぐことができ、少スペース、さらには台車と一体型であるため、積載紙押え部材の紛失を防止することも可能となる。
【発明を実施するための最良の形態】
【０００７】
以下、本発明の実施の形態を図面と共に説明する。図１は、本発明の実施の形態による用紙後処理装置としての用紙積載装置(スタッカー)Ｂと、画像形成装置Ａを備える複写システムの概略構成の例を示す。図２は、用紙積載装置Ｂの概略構成の例を示す。図２（ａ）は、画像形成装置Ａ（図示せず）からの用紙Ｐの受入れ状態を示し、図２（ｂ）は、用紙Ｐが積載され、ＪＯＢ終了後において、後述する台車部Ｅを装置から取出し可能な状態を示す。
【０００８】
図２に示すように、画像形成装置Ａから用紙積載装置Ｂに搬送された用紙Ｐは、搬送コロ１〜４により用紙積載部に搬送排紙され積載される。用紙積載部には、上部用紙積載部Ｃと、大量積載部Ｄ（主積載部）があり、搬送路中にある分岐爪５の動作により、用紙Ｐの排出先を切替える。
【０００９】
大量積載部Ｄは、排紙された用紙Ｐを積載する積載トレイ６、積載トレイ６を載せて図示しないトレイ昇降手段により上下動し、上下動することにより積載トレイ６を上下動させる昇降枠７、ＪＯＢ終了により昇降枠７が下限に到達した時、積載トレイ６を受け昇降枠７と積載トレイ６を分離させ、用紙Ｐが積載された状態の積載トレイ６ごと装置から取出すための台車部Ｅを有する。また、排紙された用紙Ｐを良好に積載するために、積載トレイ６の高さ（用紙受入高さ）を略一定にするための紙面検知センサ８が設けられている。さらに、積載状態を良好にするために、用紙積載部に、図示しないが用紙揃えユニット（ジョガーユニット）を設けてもよい。
【００１０】
図３は、台車部Ｅの構成例を示す図であり、（ａ）は全体構成を示す正面図、（ｂ）は側面図である。図４は縦支柱１１と横支柱１２のロック部材１５部分の例を示す拡大図で、（ａ）はロック解除時、（ｂ）はロック時を示す。図５は横支柱１２と積載用紙押え部材１３のロック部材１５部分の例を示す拡大図で、（ａ）はロック解除時、（ｂ）はロック時、（ｃ）は斜視図である。積載用紙押え部材１３は板状部材からなる。図６は縦支柱１１のハンドル部Ｇの方向を変えた場合を示し、台車の外形サイズを大きくすることなく、積載用紙押え部材１３の横移動範囲を広げ、用紙押え範囲が広がることを示している。
【００１１】
図３〜６に示すように、本発明の実施の形態による台車部Ｅは、載置台９、この載置台９の下部４隅に設けたキャスタ１０、上部に開口Ｆを有し、台車操作用ハンドル部Ｇを共有し、載置台９の上面から垂直に設けられた、略並行の２本の縦支柱１１、この縦支柱１１の間を上下に移動可能に架け渡された横支柱１２を備える。横支柱１２には、積載紙用紙押え部材１３が、回転自在及び左右移動自在に設けられている。この積載紙用紙押え部材１３の長さは、縦支柱１１から装置の用紙搬送中心より長くし、長くすることにより、用紙サイズの違いに関わらず用紙押えが行える。縦支柱１１と横支柱１２の取付けには、ガイド部材１４、ロック付ガイド部材１５を設け、横支柱１２は上下自在に移動できる。また、ロック付ガイド部材１５は、レバー１６を９０°回転することにより、横支柱１２を縦支柱１１の任意の位置に固定できる。
【００１２】
横支柱１２と積載用紙押え部材１３との取り付けも同様に、ロック付ガイド部材１５を設け、横支柱１２に対して積載用紙押え部材１３を任意の位置に固定できる。これにより、より確実に積載用紙の押えが実現できる。このように、積載紙用紙押え部材１３が、回転自在、左右移動自在に設けられていることにより、積載用紙の高さ、長さに関わらず積載紙押えが可能となる。また、載置台９の用紙積載範囲外の横支柱１２の直下、又はその付近には、積載用紙押え部材１３の先端収納部１７を凹溝状に形成している。これにより、ロックを解除した時、自重により積載用紙押さえ部材１３の先端が下側に垂れ下がり、溝に収納されるため、積載用紙押え部材１３が装置動作中の排出された積載紙に干渉することによるスタック性の悪化及びＪＡＭ等の機械トラブルを防止することができる。
【００１３】
図７〜１０は、積載用紙押え部材１３の使用方法の一例の動作を示す。各図（ａ）は正面図、（ｂ）は側面図である。図７は、台車部Ｅが空の状態を示す。図８は、用紙積載装置Ｂ内で、台車部Ｅに積載紙Ｈが積載された状態を示す。この状態から台車部Ｅを装置外に引き出す場合、まず、図９のように積載用紙押え部材１３を矢印ａのように上昇回動させて略水平状態となし、次に矢印ｂのように積載用紙押え部材１３をロック付ガイド部材１５と共に上昇させる。この状態から図１０に示すように積載用紙押え部材１３を矢印ｃのように略１８０°回動させて積載された積載紙Ｈの最上面を抑えるようにしてロックする。これにより、台車部Ｅを積載トレイごと装置の外に引き出すときや、移動するときに台車部Ｅが揺れたり振動しても、積載紙Ｈがズレたり、崩れたりすることを防止することができる。
【００１４】
本実施の形態によれば、台車部Ｅに、縦支柱１１と横支柱１２を設け、積載トレイ６上に積載された用紙の最上面を押える積載紙押さえ部材１３を横支柱１２に対して回転自在に設けることにより、簡単な操作で積載紙最上面における積載紙Ｈを確実に押えることができ、これにより、台車部Ｅの移動時の揺れや振動による積載紙のズレや、崩れを抑制することが可能となる。また、積載紙Ｈを台車部Ｅから取除く場合は、積載紙押え部材１３をトレイ上の用紙積載範囲外の元の位置（積載紙押えを使用しない場合の所定の位置）に戻す必要があるので、次に用紙積載を行う場合において、積載紙押え部材１３の戻し忘れによるスタック性の悪化を防ぐことが可能となる。さらに少スペース、かつ台車と一体型であるため、積載紙押え部材１３の紛失を防止することもできる。
【００１５】
また、積載紙押え部材１３が、横支柱１２に対して左右に移動自在に備えられていることにより、積載紙Ｈの大小に関わらず簡単な操作で積載紙の中央部付近の押えを実現でき、台車部Ｅの移動により発生する積載紙Ｈのズレや、崩れを抑制することができる。さらに、横支柱１２が縦支柱１１に沿って自在に上下することにより、積載紙Ｈの量(高さ)に関わらず簡単な操作で積載紙Ｈの押えを実現でき、台車部Ｅの移動により発生する積載紙Ｈのズレや、崩れを抑制することができる。
【００１６】
また、縦支柱１１を台車の操作用ハンドル部Ｇと共用することにより、部品の追加を防ぎ、コストアップの抑制、少スペースで、台車部Ｅの移動により発生する積載紙Ｈのズレや、崩れを抑制することができる。さらに、縦支柱１１に、積載紙押え部材１３が回転するための開口部Ｆを設けることにより、台車部Ｅのハンドル部分の高さを必要以上に高くすることなく、部品の大型化、それによるコストアップを防ぎ、操作性の良い積載紙Ｈの押えを実現し、台車部Ｅの移動により発生する積載紙Ｈのズレや、崩れを抑制することができる。
【００１７】
また、積載紙押え部材１３の横支柱１２に対する回転動作、横支柱１２の縦支柱１１に対する上下動作のどちらか一方、又は両方の動作に対するロック付ガイド部材１５を設けることにより、より確実に強力な積載紙押え部材１３による積載紙押えを実現し、台車部Ｅの移動により発生する積載紙Ｈのズレや、崩れを抑制することができる。さらに、積載トレイ６又は台車部Ｅの用紙積載範囲外の位置に、積載紙押え部材１３の先端収納部１７を設けることにより、用紙装置動作中の積載紙押え部材１３が排出された積載紙に干渉することによるスタック性の悪化及びＪＡＭ等の機械トラブルを防止することができる。
【図面の簡単な説明】
【００１８】
【図１】本発明の実施の形態による用紙積載装置(スタッカー)Ｂと画像形成装置Ａを備える複写システムの構成例を示す図である。
【図２】本発明の実施の形態による用紙積載装置Ｂの構成例を示す図である。
【図３】本発明の実施の形態による台車部Ｅの構成例を示す図である。
【図４】本発明の実施の形態による用紙積載装置Ｂの縦支柱１１と横支柱１２のロック部材部分の例を示す拡大図である。
【図５】本発明の実施の形態による横支柱１２と積載用紙押え部材１３のロック部材部分例を示す拡大図である。
【図６】本発明の実施の形態による用紙積載装置Ｂの縦支柱１１のハンドル部の方向を変えた状態の例を示す構成図である。
【図７】本発明の実施の形態による積載用紙押え部材１３の使用方法の一例の動作を示す構成図である。
【図８】本発明の実施の形態による積載用紙押え部材１３の使用方法の一例の動作を示す構成図である。
【図９】本発明の実施の形態による積載用紙押え部材１３の使用方法の一例の動作を示す構成図である。
【図１０】本発明の実施の形態による積載用紙押え部材１３の使用方法の一例の動作を示す構成図である。
【符号の説明】
【００１９】
６    積載トレイ
９    載置台
１１    縦支柱
１２    横支柱
１３    積載用紙押え部材
１４    ガイド部材
１５    ロック付ガイド部材
１６    レバー
１７    先端収納部
Ａ    画像形成装置
Ｂ    用紙積載装置
Ｐ    用紙
Ｈ    積載紙
Ｅ    台車部
Ｆ    開口
Ｇ    台車操作用ハンドル部
【図１】
0005008593.tif 000002
【図２】
0005008593.tif 000003
【図３】
0005008593.tif 000004
【図４】
0005008593.tif 000005
【図５】
0005008593.tif 000006
【図６】
0005008593.tif 000007
【図７】
0005008593.tif 000008
【図８】
0005008593.tif 000009
【図９】
0005008593.tif 000010
【図１０】
0005008593.tif 000011